(57)【要約】【課題】  ２組の差動線路を１つの基板で切換え可能な配線基板を提供する。【解決手段】  配線基板（１００）は、第１および第２の差動信号をそれぞれ伝送する差動線路（１１，１２）と、第１および第２の差動信号のうちのいずれかを伝送する差動線路（１３，１４）と、制御信号を伝送する制御信号伝送線路（１５）と、差動線路（１１）および制御信号伝送線路（１５）が接続される高周波スイッチ（ＩＣ１）ならびに差動線路（１２）および制御信号伝送線路（１５）が接続される高周波スイッチ（ＩＣ２）から成る差動線路切換部（１０）とを含み、差動線路切換部（１０）は、制御信号のレベルに応じて、差動線路（１１）と差動線路（１３）とが接続され、かつ差動線路（１２）と差動線路（１４）とが接続される第１状態と、差動線路（１１）と差動線路（１４）とが接続され、かつ差動線路（１２）と差動線路（１３）とが接続される第２状態とを切り換える。【選択図】      図１
2014235505.tif 000002
【特許請求の範囲】
【請求項１】
第１の差動信号を伝送する一対の第１の差動線路と、
第２の差動信号を伝送する一対の第２の差動線路と、
第１および第２の差動信号のうちの一方の差動信号を伝送する一対の第３の差動線路と、
第１および第２の差動信号のうちの他方の差動信号を伝送する一対の第４の差動線路と、
制御信号を伝送する制御信号伝送線路と、
一対の第１の差動線路および制御信号伝送線路が接続される第１の高周波スイッチ、ならびに一対の第２の差動線路および制御信号伝送線路が接続される第２の高周波スイッチから成る差動線路切換部であって、
制御信号のレベルが第１のレベルであるか第２のレベルであるかに応じて、一対の第１の差動線路と一対の第３の差動線路とが接続されるとともに、一対の第２の差動線路と一対の第４の差動線路とが接続される第１状態と、一対の第１の差動線路と一対の第４の差動線路とが接続されるとともに、一対の第２の差動線路と一対の第３の差動線路とが接続される第２状態とを切り換える差動線路切換部とを含むことを特徴とする配線基板。
【請求項２】
前記第１の高周波スイッチは、
一対の第１の差動線路がそれぞれ接続される一対の第１の入力端子と、
一対の第３の差動線路がそれぞれ接続されるとともに、一対の第１の入力端子とそれぞれ導通可能な一対の第１の出力端子と、
一対の第１の入力端子とそれぞれ導通可能な一対の第２の出力端子と、
制御信号伝送線路が接続される第１の制御用端子とを有し、
第１の制御用端子に入力される制御信号のレベルが第１のレベルから第２のレベルに切り換わると、一対の第１の入力端子と一対の第２の出力端子との導通を遮断するとともに、一対の第１の入力端子と一対の第１の出力端子とをそれぞれ導通させ、
第１の制御用端子に入力される制御信号のレベルが第２のレベルから第１のレベルに切り換わると、一対の第１の入力端子と一対の第１の出力端子との導通を遮断するとともに、一対の第１の入力端子と一対の第２の出力端子とをそれぞれ導通させ、
前記第２の高周波スイッチは、
一対の第２の差動線路がそれぞれ接続される一対の第２の入力端子と、
一対の第４の差動線路がそれぞれ接続され、かつ一対の第２の出力端子がそれぞれ接続されるとともに、一対の第２の入力端子とそれぞれ導通可能な一対の第３の出力端子と、
一対の第１の出力端子がそれぞれ接続されるとともに、一対の第２の入力端子とそれぞれ導通可能な一対の第４の出力端子と、
制御信号伝送線路が接続される第２の制御用端子とを有し、
第２の制御用端子に入力される制御信号のレベルが第１のレベルから第２のレベルに切り換わると、一対の第２の入力端子と一対の第４の出力端子との導通を遮断するとともに、一対の第２の入力端子と一対の第３の出力端子とをそれぞれ導通させ、
第２の制御用端子に入力される制御信号のレベルが第２のレベルから第１のレベルに切り換わると、一対の第２の入力端子と一対の第３の出力端子との導通を遮断するとともに、一対の第２の入力端子と一対の第４の出力端子とをそれぞれ導通させることを特徴とする請求項１に記載の配線基板。
【請求項３】
前記第１の高周波スイッチは、
一対の第１の差動線路がそれぞれ接続される一対の第１の入力端子と、
一対の第３の差動線路がそれぞれ接続されるとともに、一対の第１の入力端子とそれぞれ導通可能な一対の第１の出力端子と、
一対の第４の差動線路がそれぞれ接続されるとともに、一対の第１の入力端子とそれぞれ導通可能な一対の第２の出力端子と、
制御信号伝送線路が接続される第１の制御用端子とを有し、
第１の制御用端子に入力される制御信号のレベルが第１のレベルから第２のレベルに切り換わると、一対の第１の入力端子と一対の第２の出力端子との導通を遮断するとともに、一対の第１の入力端子と一対の第１の出力端子とをそれぞれ導通させ、
第１の制御用端子に入力される制御信号のレベルが第２のレベルから第１のレベルに切り換わると、一対の第１の入力端子と一対の第１の出力端子との導通を遮断するとともに、一対の第１の入力端子と一対の第２の出力端子とをそれぞれ導通させ、
前記第２の高周波スイッチは、
一対の第２の差動線路がそれぞれ接続される一対の第２の入力端子と、
一対の第１の出力端子がそれぞれ接続されるとともに、一対の第２の入力端子とそれぞれ導通可能な一対の第３の出力端子と、
一対の第２の出力端子がそれぞれ接続されるとともに、一対の第２の入力端子とそれぞれ導通可能な一対の第４の出力端子と、
制御信号伝送線路が接続される第２の制御用端子とを有し、
第２の制御用端子に入力される制御信号のレベルが第１のレベルから第２のレベルに切り換わると、一対の第２の入力端子と一対の第３の出力端子との導通を遮断するとともに、一対の第２の入力端子と一対の第４の出力端子とをそれぞれ導通させ、
第２の制御用端子に入力される制御信号のレベルが第２のレベルから第１のレベルに切り換わると、一対の第２の入力端子と一対の第４の出力端子との導通を遮断するとともに、一対の第２の入力端子と一対の第３の出力端子とをそれぞれ導通させることを特徴とする請求項１に記載の配線基板。
【発明の詳細な説明】
【技術分野】
【０００１】
本発明は、配線基板に関する。
【背景技術】
【０００２】
従来から、２組の差動線路の切換えは、部品の実装の配置を変えることしかなく、対応した２つの実装基板が必要となり、１つの基板で差動線路の切換えを行うことができない。
【０００３】
たとえば特許文献１には、属性の異なる複数の信号を切り換える回路をプリント基板上に設計する場合において、各信号線に対して共有されるパッドまたはスルーホールを設けることにより、プリント基板の設計の自由度を向上させる技術が開示されている。
【０００４】
しかしながら、特許文献１に記載の技術では、ランドの配置が縦横方向（４方位）となっており、この条件に基づいて配置するランドの面積効率は必ずしもよくないという問題がある。
【先行技術文献】
【特許文献】
【０００５】
【特許文献１】特開２０００−３３２３７１号公報
【発明の概要】
【発明が解決しようとする課題】
【０００６】
本発明の目的は、２組の差動線路を１つの基板で切り換えることができる配線基板を提供することである。
【課題を解決するための手段】
【０００７】
本発明は、第１の差動信号を伝送する一対の第１の差動線路と、
第２の差動信号を伝送する一対の第２の差動線路と、
第１および第２の差動信号のうちの一方の差動信号を伝送する一対の第３の差動線路と、
第１および第２の差動信号のうちの他方の差動信号を伝送する一対の第４の差動線路と、
制御信号を伝送する制御信号伝送線路と、
一対の第１の差動線路および制御信号伝送線路が接続される第１の高周波スイッチ、ならびに一対の第２の差動線路および制御信号伝送線路が接続される第２の高周波スイッチから成る差動線路切換部であって、
制御信号のレベルが第１のレベルであるか第２のレベルであるかに応じて、一対の第１の差動線路と一対の第３の差動線路とが接続されるとともに、一対の第２の差動線路と一対の第４の差動線路とが接続される第１状態と、一対の第１の差動線路と一対の第４の差動線路とが接続されるとともに、一対の第２の差動線路と一対の第３の差動線路とが接続される第２状態とを切り換える差動線路切換部とを含むことを特徴とする配線基板。
【０００８】
また本発明は、前記第１の高周波スイッチは、
一対の第１の差動線路がそれぞれ接続される一対の第１の入力端子と、
一対の第３の差動線路がそれぞれ接続されるとともに、一対の第１の入力端子とそれぞれ導通可能な一対の第１の出力端子と、
一対の第１の入力端子とそれぞれ導通可能な一対の第２の出力端子と、
制御信号伝送線路が接続される第１の制御用端子とを有し、
第１の制御用端子に入力される制御信号のレベルが第１のレベルから第２のレベルに切り換わると、一対の第１の入力端子と一対の第２の出力端子との導通を遮断するとともに、一対の第１の入力端子と一対の第１の出力端子とをそれぞれ導通させ、
第１の制御用端子に入力される制御信号のレベルが第２のレベルから第１のレベルに切り換わると、一対の第１の入力端子と一対の第１の出力端子との導通を遮断するとともに、一対の第１の入力端子と一対の第２の出力端子とをそれぞれ導通させ、
前記第２の高周波スイッチは、
一対の第２の差動線路がそれぞれ接続される一対の第２の入力端子と、
一対の第４の差動線路がそれぞれ接続され、かつ一対の第２の出力端子がそれぞれ接続されるとともに、一対の第２の入力端子とそれぞれ導通可能な一対の第３の出力端子と、
一対の第１の出力端子がそれぞれ接続されるとともに、一対の第２の入力端子とそれぞれ導通可能な一対の第４の出力端子と、
制御信号伝送線路が接続される第２の制御用端子とを有し、
第２の制御用端子に入力される制御信号のレベルが第１のレベルから第２のレベルに切り換わると、一対の第２の入力端子と一対の第４の出力端子との導通を遮断するとともに、一対の第２の入力端子と一対の第３の出力端子とをそれぞれ導通させ、
第２の制御用端子に入力される制御信号のレベルが第２のレベルから第１のレベルに切り換わると、一対の第２の入力端子と一対の第３の出力端子との導通を遮断するとともに、一対の第２の入力端子と一対の第４の出力端子とをそれぞれ導通させることを特徴とする。
【０００９】
また本発明は、前記第１の高周波スイッチは、
一対の第１の差動線路がそれぞれ接続される一対の第１の入力端子と、
一対の第３の差動線路がそれぞれ接続されるとともに、一対の第１の入力端子とそれぞれ導通可能な一対の第１の出力端子と、
一対の第４の差動線路がそれぞれ接続されるとともに、一対の第１の入力端子とそれぞれ導通可能な一対の第２の出力端子と、
制御信号伝送線路が接続される第１の制御用端子とを有し、
第１の制御用端子に入力される制御信号のレベルが第１のレベルから第２のレベルに切り換わると、一対の第１の入力端子と一対の第２の出力端子との導通を遮断するとともに、一対の第１の入力端子と一対の第１の出力端子とをそれぞれ導通させ、
第１の制御用端子に入力される制御信号のレベルが第２のレベルから第１のレベルに切り換わると、一対の第１の入力端子と一対の第１の出力端子との導通を遮断するとともに、一対の第１の入力端子と一対の第２の出力端子とをそれぞれ導通させ、
前記第２の高周波スイッチは、
一対の第２の差動線路がそれぞれ接続される一対の第２の入力端子と、
一対の第１の出力端子がそれぞれ接続されるとともに、一対の第２の入力端子とそれぞれ導通可能な一対の第３の出力端子と、
一対の第２の出力端子がそれぞれ接続されるとともに、一対の第２の入力端子とそれぞれ導通可能な一対の第４の出力端子と、
制御信号伝送線路が接続される第２の制御用端子とを有し、
第２の制御用端子に入力される制御信号のレベルが第１のレベルから第２のレベルに切り換わると、一対の第２の入力端子と一対の第３の出力端子との導通を遮断するとともに、一対の第２の入力端子と一対の第４の出力端子とをそれぞれ導通させ、
第２の制御用端子に入力される制御信号のレベルが第２のレベルから第１のレベルに切り換わると、一対の第２の入力端子と一対の第４の出力端子との導通を遮断するとともに、一対の第２の入力端子と一対の第３の出力端子とをそれぞれ導通させることを特徴とする。
【発明の効果】
【００１０】
本発明によれば、２組の差動線路を１つの基板で切り換えることができる。
【図面の簡単な説明】
【００１１】
【図１】本発明の第１の実施形態に係る配線基板１００の構成を概略的に示す図である。
【図２】本発明の第２の実施形態に係る配線基板２００の構成を概略的に示す図である。
【発明を実施するための形態】
【００１２】
図１は、本発明の第１の実施形態に係る配線基板１００の構成を概略的に示す図である。図１では、配線基板本体を省略して示している。
【００１３】
配線基板１００は、第１の差動信号を伝送する一対の第１の差動線路１１と、第２の差動信号を伝送する一対の第２の差動線路１２と、第１および第２の差動信号のうちの一方の差動信号を伝送する一対の第３の差動線路１３と、第１および第２の差動信号のうちの他方の差動信号を伝送する一対の第４の差動線路１４と、制御信号を伝送する制御信号伝送線路１５と、一対の第１の差動線路１１および制御信号伝送線路１５が接続される第１の高周波スイッチＩＣ１ならびに一対の第２の差動線路１２および制御信号伝送線路１５が接続される第２の高周波スイッチＩＣ２から成る差動線路切換部１０とを含んで構成される。
【００１４】
高周波スイッチＩＣ１，ＩＣ２は、ＤＰ４Ｔ（Double Pole Four Throw）によって実現され、板状に形成される配線基板本体の一方の主面に実装される。高周波スイッチＩＣ１，ＩＣ２は、平面視で矩形状を成しており、その一方の主面における周縁部には、複数の端子が形成されている。
【００１５】
高周波スイッチＩＣ１には、本実施形態では、端子Ｔ１１〜Ｔ１７を含む１０個の端子が形成されている。端子Ｔ１１，Ｔ１２（第１の入力端子）は、前記周縁部のうちの一方の長辺部に形成され、一対の第１の差動線路１１がそれぞれ電気的に接続される。
【００１６】
端子Ｔ１３，Ｔ１４（第１の出力端子）は、前記周縁部のうちの一方の短辺部に形成され、一対の第３の差動線路１３がそれぞれ電気的に接続される。また、端子Ｔ１３は、端子Ｔ１１と電気的に導通可能に設けられ、端子Ｔ１４は、端子Ｔ１２と電気的に導通可能に設けられている。
【００１７】
端子Ｔ１５，Ｔ１６（第２の出力端子）は、前記周縁部のうちの他方の短辺部に形成され、端子Ｔ１５は、端子Ｔ１１と電気的に導通可能に設けられ、端子Ｔ１６は、端子Ｔ１２と電気的に導通可能に設けられている。端子Ｔ１７（第１の制御用端子）は、制御信号伝送線路１５が電気的に接続される。
【００１８】
同様に、高周波スイッチＩＣ２には、本実施形態では、端子Ｔ２１〜Ｔ２７を含む１０個の端子が形成されている。端子Ｔ２１，Ｔ２２（第２の入力端子）は、前記周縁部のうちの一方の長辺部に形成され、一対の第２の差動線路１２がそれぞれ電気的に接続される。
【００１９】
端子Ｔ２３，Ｔ２４（第３の出力端子）は、前記周縁部のうちの一方の短辺部に形成され、一対の第４の差動線路１４がそれぞれ電気的に接続される。また、端子Ｔ２３は、端子Ｔ２１と電気的に導通可能に設けられ、端子Ｔ２４は、端子Ｔ２２と電気的に導通可能に設けられている。
【００２０】
端子Ｔ２５，Ｔ２６（第４の出力端子）は、前記周縁部のうちの他方の短辺部に形成され、端子Ｔ２５は、端子Ｔ２１と電気的に導通可能に設けられ、端子Ｔ２６は、端子Ｔ２２と電気的に導通可能に設けられている。端子Ｔ２７（第２の制御用端子）は、制御信号伝送線路１５が電気的に接続される。
【００２１】
上記構成の高周波スイッチＩＣ１，ＩＣ２は、それぞれの他方の長辺部を互いに対向させて、配線基板本体の一方の主面に実装される。そして、端子Ｔ１３と端子Ｔ２５、端子Ｔ１４と端子Ｔ２６、端子Ｔ１５と端子Ｔ２３、端子Ｔ１６と端子Ｔ２４とがそれぞれ電気的に接続される。
【００２２】
なお、第１〜第４の差動線路１１〜１４は、配線基板本体の表層に形成されている。また、制御信号伝送線路１５は、図１において実線で示す部分は配線基板本体の表層に形成され、一点鎖線で示す部分は表層とは別の層に形成されている。
【００２３】
高周波スイッチＩＣ１は、制御信号伝送線路１５を介して端子Ｔ１７に入力される制御信号に基づいて、端子Ｔ１１，Ｔ１２が電気的に導通する端子が切り換わるように構成されている。同様に、高周波スイッチＩＣ２も、制御信号伝送線路１５を介して端子Ｔ２７に入力される制御信号に基づいて、端子Ｔ２１，Ｔ２２が電気的に導通する端子が切り換わるように構成されている。
【００２４】
具体的には、制御信号のレベルがＨｉｇｈレベル（第１のレベル）からＬｏｗレベル（第２のレベル）に切り換わると、高周波スイッチＩＣ１では、端子Ｔ１１と端子Ｔ１５との導通、および端子Ｔ１２と端子Ｔ１６との導通が遮断され、端子Ｔ１１と端子Ｔ１３とが導通されるとともに、端子Ｔ１２と端子Ｔ１４とが導通される。
【００２５】
一方、高周波スイッチＩＣ２では、端子Ｔ２１と端子Ｔ２５との導通、および端子Ｔ２２と端子Ｔ２６との導通が遮断され、端子Ｔ２１と端子Ｔ２３とが導通されるとともに、端子Ｔ２２と端子Ｔ２４とが導通される。
【００２６】
これに対し、制御信号のレベルがＬｏｗレベル（第２のレベル）からＨｉｇｈレベル（第１のレベル）に切り換わると、高周波スイッチＩＣ１では、端子Ｔ１１と端子Ｔ１３との導通、および端子Ｔ１２と端子Ｔ１４との導通が遮断され、端子Ｔ１１と端子Ｔ１５とが導通されるとともに、端子Ｔ１２と端子Ｔ１６とが導通される。
【００２７】
一方、高周波スイッチＩＣ２では、端子Ｔ２１と端子Ｔ２３との導通、および端子Ｔ２２と端子Ｔ２４との導通が遮断され、端子Ｔ２１と端子Ｔ２５とが導通されるとともに、端子Ｔ２２と端子Ｔ２６とが導通される。
【００２８】
なお、図１では、制御信号のレベルがＬｏｗレベルであるときの導通経路を２点差線で示し、制御信号のレベルがＨｉｇｈレベルであるときの導通経路を破線で示している。
【００２９】
したがって、制御信号のレベルがＬｏｗレベルであるときには、一対の第１の差動線路１１を伝送する第１の差動信号は、端子Ｔ１１，Ｔ１２と端子Ｔ１３，Ｔ１４とが電気的に導通することにより、一対の第３の差動線路１３に伝送され、一対の第２の差動線路１２を伝送する第２の差動信号は、端子Ｔ２１，Ｔ２２と端子Ｔ２３，Ｔ２４とが電気的に導通することにより、一対の第４の差動線路１４に伝送される。
【００３０】
また、制御信号のレベルがＨｉｇｈレベルであるときには、一対の第１の差動線路１１を伝送する第１の差動信号は、端子Ｔ１１，Ｔ１２と端子Ｔ１５，Ｔ１６とが電気的に導通することにより、端子Ｔ２３，Ｔ２４を介して、一対の第４の差動線路１４に伝送され、一対の第２の差動線路１２を伝送する第２の差動信号は、端子Ｔ２１，Ｔ２２と端子Ｔ２５，Ｔ２６とが電気的に導通することにより、端子Ｔ１３，Ｔ１４を介して、一対の第３の差動線路１３に伝送される。
【００３１】
以上のように、本実施形態によれば、２つの高周波スイッチＩＣ１，ＩＣ２を用いることによって、制御信号のレベルを切り換えることにより、１つの基板上で、２組の差動線路を切り換えることができる。
【００３２】
なお、高周波スイッチＩＣ１と高周波スイッチＩＣ２とを接続する各信号接続線、具体的には、端子Ｔ１３と端子Ｔ２５、端子Ｔ１４と端子Ｔ２６、端子Ｔ１５と端子Ｔ２３、端子Ｔ１６と端子Ｔ２４との間に、アッテネ―タまたはフィルタを挿入してもよい。これにより、制御信号のレベルを切り換えることで、アッテネ―タまたはフィルタを通過させる場合と通過させない場合とを切り換えることができる。
【００３３】
図２は、本発明の第２の実施形態に係る配線基板２００の構成を概略的に示す図である。図２では、配線基板本体を省略して示している。第１の実施形態に係る配線基板１００では、２組の差動線路の切換えに用いられる２つの高周波スイッチＩＣ１，ＩＣ２を、配線基板本体の一方の主面に実装していたが、本実施形態に係る配線基板２００では、２組の差動線路の切換えに用いられる２つの高周波スイッチＩＣ３，ＩＣ４が、配線基板本体においてそれぞれ異なる主面に実装される。なお、図２において、一点鎖線は、層間のスルーホールによる信号線を示している。
【００３４】
配線基板２００は、第１の差動信号を伝送する一対の第１の差動線路１１と、第２の差動信号を伝送する一対の第２の差動線路１２と、第１および第２の差動信号のうちの一方の差動信号を伝送する一対の第３の差動線路１３と、第１および第２の差動信号のうちの他方の差動信号を伝送する一対の第４の差動線路１４と、制御信号を伝送する制御信号伝送線路１５と、一対の第１の差動線路１１および制御信号伝送線路１５が接続される第１の高周波スイッチＩＣ３ならびに一対の第２の差動線路１２および制御信号伝送線路１５が接続される第２の高周波スイッチＩＣ４から成る差動線路切換部３０とを含んで構成される。
【００３５】
高周波スイッチＩＣ３，ＩＣ４は、ＤＰ４Ｔ（Double Pole Four Throw）によって実現され、板状に形成される配線基板本体の一方の主面と他方の主面とに向かい合わせにして実装される。高周波スイッチＩＣ３，ＩＣ４は、平面視で矩形状を成しており、その一方の主面における周縁部には、複数の端子が形成されている。
【００３６】
高周波スイッチＩＣ３には、本実施形態では、端子Ｔ３１〜Ｔ３７を含む１０個の端子が形成されている。端子Ｔ３１，Ｔ３２（第１の入力端子）は、前記周縁部のうちの一方の長辺部に形成され、一対の第１の差動線路１１がそれぞれ電気的に接続される。
【００３７】
端子Ｔ３３，Ｔ３４（第１の出力端子）は、前記周縁部のうちの一方の短辺部に形成され、一対の第３の差動線路１３がそれぞれ電気的に接続される。また、端子Ｔ３３は、端子Ｔ３１と電気的に導通可能に設けられ、端子Ｔ３４は、端子Ｔ３２と電気的に導通可能に設けられている。
【００３８】
端子Ｔ３５，Ｔ３６（第２の出力端子）は、前記周縁部のうちの他方の短辺部に形成され、一対の第４の差動線路１４がそれぞれ電気的に接続される。また、端子Ｔ３５は、端子Ｔ３１と電気的に導通可能に設けられ、端子Ｔ３６は、端子Ｔ３２と電気的に導通可能に設けられている。端子Ｔ３７（第１の制御用端子）は、制御信号伝送線路１５が電気的に接続される。
【００３９】
同様に、高周波スイッチＩＣ４には、本実施形態では、端子Ｔ４１〜Ｔ４７を含む１０個の端子が形成されている。端子Ｔ４１，Ｔ４２（第２の入力端子）は、前記周縁部のうちの一方の長辺部に形成され、一対の第２の差動線路１２がそれぞれ電気的に接続される。
【００４０】
端子Ｔ４３，Ｔ４４（第３の出力端子）は、前記周縁部のうちの一方の短辺部に形成され、端子Ｔ４３は、端子Ｔ４１と電気的に導通可能に設けられ、端子Ｔ４４は、端子Ｔ４２と電気的に導通可能に設けられている。
【００４１】
端子Ｔ４５，Ｔ４６（第４の出力端子）は、前記周縁部のうちの他方の短辺部に形成され、端子Ｔ４５は、端子Ｔ４１と電気的に導通可能に設けられ、端子Ｔ４６は、端子Ｔ４２と電気的に導通可能に設けられている。端子Ｔ４７（第２の制御用端子）は、制御信号伝送線路１５が電気的に接続される。
【００４２】
上記構成の高周波スイッチＩＣ３，ＩＣ４は、配線基板本体を中心に各端子同士が対向するように、具体的には、端子Ｔ３１と端子Ｔ４１、端子Ｔ３２と端子Ｔ４２、端子Ｔ３３と端子Ｔ４５、端子Ｔ３４と端子Ｔ４６、端子Ｔ３５と端子Ｔ４３、端子Ｔ３６と端子Ｔ４４とが対向するように、配線基板本体の一方の主面および他方の主面にそれぞれ実装される。そして、端子Ｔ３３と端子Ｔ４５、端子Ｔ３４と端子Ｔ４６、端子Ｔ３５と端子Ｔ４３、端子Ｔ３６と端子Ｔ４４とが、層間のスルーホールによる信号線を用いてそれぞれ電気的に接続される。
【００４３】
なお、第１，第３および第４の差動線路１１，１３，１４は、配線基板本体の一方の主面側の表層に形成されている。また、第２の差動線路１２および制御信号伝送線路１５は、配線基板本体の一方の主面側の表層に形成される部分と、配線基板本体の他方の主面側の表層に形成される部分とを有し、これらは、層間のスルーホールによる信号線で電気的に接続されている。
【００４４】
高周波スイッチＩＣ３は、制御信号伝送線路１５を介して端子Ｔ３７に入力される制御信号に基づいて、端子Ｔ３１，Ｔ３２が導通する端子が切り換わるように構成されている。同様に、高周波スイッチＩＣ４も、制御信号伝送線路１５を介して端子Ｔ４７に入力される制御信号に基づいて、端子Ｔ４１，Ｔ４２が導通する端子が切り換わるように構成されている。
【００４５】
具体的には、制御信号のレベルがＨｉｇｈレベル（第１のレベル）からＬｏｗレベル（第２のレベル）に切り換わると、高周波スイッチＩＣ３では、端子Ｔ３１と端子Ｔ３５との導通、および端子Ｔ３２と端子Ｔ３６との導通が遮断され、端子Ｔ３１と端子Ｔ３３とが導通されるとともに、端子Ｔ３２と端子Ｔ３４とが導通される。
【００４６】
一方、高周波スイッチＩＣ４では、端子Ｔ４１と端子Ｔ４５との導通、および端子Ｔ４２と端子Ｔ４６との導通が遮断され、端子Ｔ４１と端子Ｔ４３とが導通されるとともに、端子Ｔ４２と端子Ｔ４４とが導通される。
【００４７】
これに対し、制御信号のレベルがＬｏｗレベル（第２のレベル）からＨｉｇｈレベル（第１のレベル）に切り換わると、高周波スイッチＩＣ３では、端子Ｔ３１と端子Ｔ３３との導通、および端子Ｔ３２と端子Ｔ３４との導通が遮断され、端子Ｔ３１と端子Ｔ３５とが導通されるとともに、端子Ｔ３２と端子Ｔ３６とが導通される。
【００４８】
一方、高周波スイッチＩＣ４では、端子Ｔ４１と端子Ｔ４３との導通、および端子Ｔ４２と端子Ｔ４４との導通が遮断され、端子Ｔ４１と端子Ｔ４５とが導通されるとともに、端子Ｔ４２と端子Ｔ４６とが導通される。
【００４９】
なお、図２では、制御信号のレベルがＬｏｗレベルであるときの導通経路を２点差線で示し、制御信号のレベルがＨｉｇｈレベルであるときの導通経路を破線で示している。
【００５０】
したがって、制御信号のレベルがＬｏｗレベルであるときには、一対の第１の差動線路１１を伝送する第１の差動信号は、端子Ｔ３１，Ｔ３２と端子Ｔ３３，Ｔ３４とが電気的に導通することにより、一対の第３の差動線路１３に伝送され、一対の第２の差動線路１２を伝送する第２の差動信号は、端子Ｔ４１，Ｔ４２と端子Ｔ４３，Ｔ４４とが電気的に導通することにより、端子Ｔ３５，Ｔ３６を介して、一対の第４の差動線路１４に伝送される。
【００５１】
また、制御信号のレベルがＨｉｇｈレベルであるときには、一対の第１の差動線路１１を伝送する第１の差動信号は、端子Ｔ３１，Ｔ３２と端子Ｔ３５，Ｔ３６とが電気的に導通することにより、一対の第４の差動線路１４に伝送され、一対の第２の差動線路１２を伝送する第２の差動信号は、端子Ｔ４１，Ｔ４２と端子Ｔ４５，Ｔ４６とが電気的に導通することにより、端子Ｔ３３，Ｔ３４を介して、一対の第３の差動線路１３に伝送される。
【００５２】
以上のように、本実施形態によれば、２つの高周波スイッチＩＣ３，ＩＣ４を用いることによって、制御信号のレベルを切り換えることにより、１つの基板上で、２組の差動線路を切り換えることができる。
【００５３】
また、本実施形態によれば、高周波スイッチＩＣ３と高周波スイッチＩＣ４の端子間の配線が、層間のスルーホールによる信号線で電気的に接続されるので、端子間の接続を単純化することができ、第１の実施形態に比べて損失を低減することができえる。また、配線基板本体の両面間で２組の差動線路の切換えを行うことができる。
【符号の説明】
【００５４】
１００，２００  配線基板
１１  第１の差動線路
１２  第２の差動線路
１３  第３の差動線路
１４  第４の差動線路
１５  制御信号伝送線路
１０，３０  差動線路切換部
ＩＣ１〜ＩＣ４  高周波スイッチ
Ｔ１１〜Ｔ１７，Ｔ２１〜Ｔ２７，Ｔ３１〜Ｔ３７，Ｔ４１〜Ｔ４７  端子
【図１】
2014235505.tif 000003
【図２】
2014235505.tif 000004